(57)【要約】      （修正有）【課題】光変調器を較正するシステムおよび方法を提供する。【解決手段】光変調器110によって、受信された光信号113を第１の電気信号104により変調して、変調された光信号114を生成するステップを含む。変調された光信号114によって搬送されるデータの極性及び変調された光信号の光出力は、光変調器の温度に基づく。変調された光信号の光電力をモニタし、変調された光信号の光電力が光電力閾値以下であることに応答して光変調器の温度を調整するステップを更に含む。変調された光信号の光電力が光電力閾値を上回ることに応答して、変調された光信号によって搬送されるデータの極性を確認するステップを更に含む。【選択図】図１Ａ
2015222944.tif 000002
【特許請求の範囲】
【請求項１】
光変調器を較正するシステムであって、
変調された光信号を第１の電気信号に基づき出力するよう構成される光変調器であって、前記変調された光信号によって搬送されるデータの光電力及び極性が当該光変調器の温度に依存する、光変調器と、
前記光変調器へ光結合され、前記変調された光信号の光電力に基づき第２の電気信号を生成するよう構成される光信号検出回路と、
前記光信号検出回路へ結合され、前記第２の電気信号の電力が特定の電力閾値よりも低いことに応答して前記光変調器の温度を調整するよう構成される熱調整回路と、
前記変調された光信号によって搬送されるデータの極性を検出するよう構成されるデータ極性検出回路と、
前記変調された光信号によって搬送されるデータの検出された極性が前記第１の電気信号によって搬送されるデータの極性と反対であることに応答して、システムにおける第３の電気信号によって搬送されるデータの極性を切り替えるよう構成されるデータ極性切替回路と
を有するシステム。
【請求項２】
前記光信号検出回路を含むデータ送信経路と、前記データ極性検出回路を含むデータ受信経路とを含む
請求項１に記載のシステム。
【請求項３】
前記データ極性切替回路は、該データ極性切替回路の出力が前記光変調器へ供給される前記第１の電気信号を含むように前記データ送信経路において含まれる、
請求項２に記載のシステム。
【請求項４】
前記データ極性切替回路は、該データ極性切替回路の出力が前記光信号検出回路へ供給されるように前記データ受信経路において含まれる、
請求項２に記載のシステム。
【請求項５】
前記光信号検出回路は、第１の光信号検出回路であり、
当該システムは、
前記光変調器へ光結合され、前記変調された光信号を受信するよう構成される第１の導波路と、
第２の導波路と、
前記データ受信経路に含まれ、前記第２の導波路へ光結合される第２の光信号検出回路と、
前記第１の導波路及び前記第２の導波路へ光結合されるよう構成される光スイッチと
を更に有し、
前記光スイッチが前記第１の導波路及び前記第２の導波路へ光結合することに応答して、前記第２の光信号検出回路は、前記変調された光信号に基づき第４の電気信号を生成し、前記データ極性検出回路は、前記第４の電気信号に基づき前記変調された光信号によって搬送されるデータの極性を検出する、
請求項２に記載のシステム。
【請求項６】
前記データ極性切替回路は、前記第３の電気信号が前記第２の光信号検出回路によって生成される前記第４の電気信号を含むように前記データ受信経路において含まれる、
請求項５に記載のシステム。
【請求項７】
前記光スイッチが前記第１の導波路及び前記第２の導波路へ光結合することに応答して、前記第２の光信号検出回路は、他のシステムから送信された光信号を受信し、該送信された光信号に基づき前記第４の電気信号を生成する、
請求項５に記載のシステム。
【請求項８】
前記データ極性検出回路は、前記光信号検出回路によって生成される前記第２の電気信号に基づき、前記変調された光信号によって搬送されるデータの極性を検出するよう構成される、
請求項１に記載のシステム。
【請求項９】
前記第２の電気信号は、前記第１の電気信号がハイレベルとローレベルとの間で一貫して変動している場合に生成される、
請求項１に記載のシステム。
【請求項１０】
前記データ極性検出回路は、前記第１の電気信号がハイレベルとローレベルとの間でランダムに変動している場合に、前記変調された光信号によって搬送されるデータの極性を検出するよう構成される、
請求項１に記載のシステム。
【請求項１１】
光変調器の較正の方法であって、
光変調器によって、受信された光信号を第１の電気信号により変調して、変調された光信号を生成するステップであって、前記変調された光信号によって搬送されるデータの極性及び前記変調された光信号の光電力が前記光変調器の温度に基づく、ステップと、
前記変調された光信号の光電力をモニタするステップと、
前記変調された光信号の光電力が光電力閾値以下であることに応答して、前記光変調器の温度を調整するステップと、
前記変調された光信号の光電力が前記光電力閾値を上回ることに応答して、前記変調された光信号によって搬送されるデータの極性を確認するステップと
を有する方法。
【請求項１２】
前記変調された光信号によって搬送されるデータの極性が前記第１の電気信号によって搬送されるデータの極性と異なることに応答して、データ極性調整回路の状態を調整して、該データ極性調整回路によって受信される電気信号によって搬送されるデータの極性を変化させるステップを更に有する
請求項１１に記載の方法。
【請求項１３】
前記受信された光信号は、システムのデータ送信経路において含まれ、該システムのデータ受信経路は、前記データ極性調整回路を含む、
請求項１２に記載の方法。
【請求項１４】
前記変調された光信号によって搬送されるデータの極性が前記第１の電気信号によって搬送されるデータの極性と異なることに応答して、前記データ極性調整回路により前記第１の電気信号のデータ極性を変更するステップを更に有する
請求項１２に記載の方法。
【請求項１５】
前記変調された光信号の光電力をモニタし続けるステップと、
前記変調された光信号の光電力が前記光電力閾値以下であることに応答して、前記光変調器の温度を再調整するステップと
を更に有する請求項１２に記載の方法。
【請求項１６】
前記変調された光信号によって搬送されるデータの極性を再確認するステップと、
前記変調された光信号によって搬送されるデータの極性が前記第１の電気信号によって搬送されるデータの極性と異なることに応答して、
前記光電力閾値を増大させ、
前記変調された光信号の光電力をモニタする動作と、前記変調された光信号の光電力が前記光電力閾値以下であることに応答して、前記光変調器の温度を調整する動作と、前記変調された光信号の光電力が前記光電力閾値を上回ることに応答して、前記変調された光信号によって搬送されるデータの極性を確認する動作とを実行する
ステップと
を更に有する請求項１２に記載の方法。
【請求項１７】
前記変調された光信号の光電力が前記光電力閾値を上回ることに応答して、前記受信された光信号を第２の電気信号により変調して、第２の変調された光信号を生成するステップを更に有し、
前記第２の変調された光信号によって搬送されるデータの極性が確認される、
請求項１１に記載の方法。
【請求項１８】
前記第１の電気信号は、ハイレベルとローレベルとの間で一貫して変動し、前記第２の電気信号は、ハイレベルとローレベルとの間でランダムに変動する、
請求項１７に記載の方法。
【請求項１９】
前記変調された光信号に基づき第２の電気信号を生成するステップを更に有し、
前記変調された光信号の光電力は、前記第２の電気信号の電力をモニタすることによってモニタされ、前記変調された光信号によって搬送されるデータの極性は、前記第２の電気信号によって搬送されるデータの極性を確認することによってモニタされる、
請求項１１に記載の方法。
【請求項２０】
第１の信号検出回路により前記変調された光信号に基づき第２の電気信号を生成するステップであって、前記変調された光信号の光電力が前記第２の電気信号の電力をモニタすることによってモニタされる、ステップと、
第２の信号検出回路により前記変調された光信号に基づき第３の電気信号を生成するステップであって、前記変調された光信号によって搬送されるデータの極性が前記第３の電気信号によって搬送されるデータの極性を確認することによってモニタされる、ステップと
を更に有する請求項１１に記載の方法。
【発明の詳細な説明】
【技術分野】
【０００１】
ここで論じられる実施形態は、光変調器の較正に係る。
【背景技術】
【０００２】
例えばレーザビーム等の電磁ビームは、例えば、長距離電話及びインターネット通信のための光ファイバシステムにおいて、デジタルデータを送信するためにしばしば使用されている。結果として、光技術は、現代の電気通信及びデータ通信において有意な役割を果たしている。そのようなシステムで使用される光学部品の例には、例えば発光ダイオード及びレーザ等の光又は電磁放射線源、導波管、光ファイバ、レンズ及び他のオプティクス、光検出器及び他の光センサ、光検知半導体、光変調器、並びに他がある。
【０００３】
光学部品を使用するシステムは、所望のタスクを達成するよう特定の波長での電磁ビームの正確な操作にしばしば依存する。電磁ビームの波長は、システム内の変化、幾つかある変化の中でも特に、例えば電磁エネルギ、電圧及び電流、温度の変化等によって、乱されることがある。それらの変化は、電磁ビームの波長を変化させて、システムを動作不能にすることがある。
【０００４】
本願で請求される対象は、いずれかの欠点を解決するか、又は例えば上述されたような環境でのみ動作する実施形態に制限されない。むしろ、この背景は、本願で記載される幾つかの実施形態が実施され得る技術の一例を説明するためにのみ与えられている。
【発明の概要】
【発明が解決しようとする課題】
【０００５】
本発明の実施形態は、光変調器を較正するシステム及び方法を提供することを目的とする。
【課題を解決するための手段】
【０００６】
実施形態の態様に従って、光変調器の較正の方法が開示される。方法は、光変調器によって、受信された光信号を第１の電気信号により変調して、変調された光信号を生成するステップを含んでよく、前記変調された光信号によって搬送されるデータの極性及び前記変調された光信号の光電力は、前記光変調器の温度に基づく。方法は、前記変調された光信号の光電力をモニタし、前記変調された光信号の光電力が光電力閾値以下であることに応答して、前記光変調器の温度を調整するステップを更に含んでよい。前記変調された光信号の光電力が前記光電力閾値を上回ることに応答して、方法は、前記変調された光信号によって搬送されるデータの極性を確認するステップを更に含んでよい。
【０００７】
実施形態の目的及び利点は、少なくとも、特許請求の範囲において特に指摘されている要素、特徴、及び組み合わせによって、実現され達成される。前述の概要及び以下の詳細な説明はいずれも、請求される発明の限定ではなく例示及び説明である点が理解されるべきである。例となる実施形態は、添付の図面の使用を通じて更なる特定及び詳細を有して記載され説明される。
【発明の効果】
【０００８】
本発明の実施形態によれば、光変調器を較正するシステム及び方法を提供することが可能となる。
【図面の簡単な説明】
【０００９】
【図１Ａ】光変調器を較正するシステムの例を示す。
【００１０】
【図１Ｂ】光変調器を較正するシステムの他の例を示す。
【００１１】
【図１Ｃ】光変調器を較正するシステムの他の例を示す。
【００１２】
【図１Ｄ】光変調器の波長に対する挿入損失のプロットを示す。
【００１３】
【図２】光変調器を較正するシステムの他の例を示す。
【００１４】
【図３】光変調器を較正するシステムの他の例を示す。
【００１５】
【図４】光変調器の較正の方法の例のフローチャートである。
【００１６】
【図５】光変調器の較正の方法の他の例のフローチャートである。
【発明を実施するための形態】
【００１７】
実施形態の態様に従って、光変調器を較正するシステムが開示される。光変調器は、受信した光信号を、受信した電気信号により変調して、変調された光信号を生成してよい。幾つかの実施形態では、光変調器、ひいてはシステムは、変調された光信号の特性に基づき較正されてよい。変調された光信号の特性は、受信した光信号の波長と、光変調器の共振波長との間の関係に依存してよい。特に、変調された光信号の光電力及び変調された光信号によって搬送されるデータの極性は、受信した光信号の波長と、光変調器の共振波長との間の関係に基づき変化してよい。幾つかの実施形態では、光変調器の共振波長は、温度に基づき変化してよい。そのような及び他の実施形態では、システムは、光変調器の共振波長、ひいては変調された光信号の光電力を調整するよう、光変調器の温度を調整してよい。光変調器の温度を調整した後、システムは、温度調整により得られる、変調された光信号によって搬送されるデータの極性を補償してよい。
【００１８】
本開示の実施形態は、添付の図面を参照して説明される。図１Ａは、本願で記載される少なくとも１つの実施形態に従って配置される、光変調器を較正するシステム１００Ａを例示する。システム１００Ａは、光変調器１１０、光信号源１１２、光信号検出回路１２０、熱調整回路１３０、データ極性検出回路１４０、制御回路１５０、及びデータ極性切替回路１６０を含む。
【００１９】
光信号源１１２は、光変調器１１０へ結合されてよい。光信号源１１２は、光信号１１３を生成し、光信号１１３を光変調器１１０へ供給するよう構成されてよい。光信号源１１２は、分布帰還（distributed  feedback）（ＤＦＢ）レーザ、分布ブラッグ反射器（distributed  Bragg  reflector）（ＤＢＲ）レーザ、ファブリー・ペロー（Fabry-Perot）（ＦＰ）レーザ、若しくは他の端面発光レーザ、垂直共振器面発光レーザ（vertical  cavity  surface  emitting  laser）（ＶＣＳＥＬ）、又は他の適切な光信号源等であるか、又はそれらを含んでよい。
【００２０】
光変調器１１０は、光信号源１１２へ、光導波路１１６へ、そしてデータ極性切替回路１６０へ結合されてよい。光変調器１１０は、第１の電気信号１０４と、光信号源１１２からの光信号１１３とを受信するよう構成されてよい。第１の電気信号１０４は、極性を持ったデータを含むデータ信号を含んでよい。
【００２１】
光変調器１１０は、第１の電気信号１０４を用いて光信号１１３を変調してよい。例えば、光変調器１１０は、第１の電気信号１０４に基づき光信号１１３を変調し、変調された光信号１１４を生成するよう、例えば周波数、振幅、極性、又は何らかの他の特性等の光信号１１３の特性を変化させてよい。変調された光信号１１４は、第１の電気信号１０４によって搬送されるデータにより変調されてよい。結果として、変調された光信号１１４は、第１の電気信号１０４によって搬送されるデータを搬送するよう構成されてよい。光変調器１１０は、変調された光信号１１４を光導波路１１６へ出力してよい。そのような及び他の実施形態では、光変調器１１０は、例えばマッハ・ツェンダー（Mach-Zehnder）変調器、電解吸収型変調器（electro-absorption  modulator）（ＥＡＭ）、電気光学変調器（electro-optic  modulator）（ＥＯＭ）、又は他の光変調器等の光変調器を含んでよい。
【００２２】
図１Ｄは、本願で記載される少なくとも１つの実施形態に従って配置される、光変調器１１０の共振波長１９４に関する、光信号１１３の波長に対する光信号１１３の挿入損失のプロット１００Ｄを表す。光変調器１１０の動作の間、光変調器１１０の共振波長１９４はチューニングされてよく、例えば、光変調器１１０の温度を調整することで調整されてよい。一般に、光変調器１１０の共振波長１９４は、光信号１１３の波長１９５がプロット１００Ｄの線形領域１９７内でプロット１００Ｄと交差するように、チューニングされてよい。例えば、波長１９５は、線形領域１９７内にある点１９６でプロット１００Ｄと交差するように表されている。光信号１１３の波長が線形領域１９７内にあることは、変調された光信号１１４の光電力に基づき決定されてよい。
【００２３】
加えて、変調された光信号１１４によって搬送されるデータの極性は、光信号１１３の波長１９５が共振波長１９４より大きいかそれとも小さいかに基づき、第１の電気信号１０４によって搬送されるデータの極性と異なってよい。例えば、変調された光信号１１４が第１の極性のデータにより変調される場合に、光信号１１３の波長１９５が共振波長よりも小さいとき、変調された光信号１１４によって搬送されるデータも第１の極性を有してよい。対照的に、光信号１１３の波長１９５が共振波長１９４よりも大きいとき、変調された光信号１１４によって搬送されるデータは、第１の極性とは反対である第２の極性を有してよい。反対の極性を持ったデータは、データの各ビットの極性が反対の極性へ変えられ得ることを示してよい。例えば、論理ハイのビットは、論理ローのビットとなってよく、論理ローのビットは、論理ハイのビットとなってよい。
【００２４】
異なる極性を持ったデータの例は次のとおりである。データは、デジタルデータを含んでよく、第１の電気信号１０４によって搬送される列１０１１０１１において論理ハイのビット及び論理ローのビットによって表現されてよい。データの極性が、変調された光信号１１４によって搬送されるときに変更されない場合、デジタルデータは依然として列１０１１０１１によって表現されてよい。デジタルデータの極性が、変調された光信号１１４によって搬送されるときに反対の極性へ変えられる場合、デジタルデータは列０１００１００によって表現されてよい。データの極性における未知の変更は、システム１００Ａが正確にデータを通信しないことを生じさせ得る。
【００２５】
プロット１００Ｄの逆ローレンツ型の形状に起因して、プロット１００Ｄは、変調された光信号１１４が等しい又は略等しい光電力を有することを生じさせる２つの点を有してよい。例えば、光信号１１３の波長１９５が、光変調器１１０の共振波長１９４をチューニングすることによって、点１９６又は点１９８とアライメントされる場合に、変調された光信号１１４の光電力は等しく又は略等しくなり得る。そのような２つの点１９６及び１９８は、しかしながら、共振波長１９４の両側にあってよい。結果として、たとえ変調された光信号１１４の光電力が同じであり得るとしても、変調された光信号１１４によって搬送されるデータの極性は、光信号１１３の波長１９５と光変調器１１０の共振波長１９４との関係に基づき変化してよい。よって、変調された光信号１１４の光電力に基づき、システム１００Ａは、変調された光信号１１４によって搬送されるデータの極性が、第１の電気信号１０４によって搬送されるデータの極性に対して変化したかどうかを決定することができないことがあり得る。
【００２６】
これより図１Ａに戻って、一般に、光信号１１３の波長が、一貫して又は大体において、変調された光信号１１４の共振波長の一方の側にあるほど十分に小さい細かさにより光変調器１１０の共振波長を調整することは、困難であり得る。システム１００Ａは、よって、変調された光信号１１４の光電力が所望のレベルにある、例えば、閾電力レベルを上回るまで、光変調器１１０の温度を調整するよう構成されてよい。変調された光信号１１４の所望の光電力を達成した後、システム１００Ａは、変調された光信号１１４によって搬送されるデータの極性が、第１の電気信号１０４によって搬送されるデータの極性に対して変化したかどうかを確認してよい。システム１００Ａはまた、光変調器１１０の更なるチューニングなしで、変調された光信号１１４によって搬送されるデータの極性の変化を補償するよう構成されてよい。結果として、システム１００Ａは、所望のデータ極性及び光電力を達成するために光変調器をより細かくチューニングすることができる他のシステムに比べて複雑でないハードウェア及び／又はプロシージャにより、変調された光信号１１４を生成することが可能であり得る。代替的に、又は追加的に、システム１００Ａは、所望のデータ極性及び光電力を達成するために光変調器をより細かくチューニングすることができる他のシステムに比べて安価であり得る。そのような及び他の実施形態では、変調された光信号１１４の所望の光電力を達成するよう光変調器１１０の温度を調整し、変調された光信号１１４のデータ極性を補償することは、本願では、光変調器１１０の較正と呼ばれてよい。
【００２７】
図１Ａに表されているように、光信号検出回路１２０は、熱調整回路１３０及びデータ極性検出回路１４０へ結合されてよい。光信号検出回路１２０はまた、光変調器１１０へ光結合されてよい。光信号検出回路１２０は、変調された光信号１１４に基づき第２の電気信号１２２を生成するよう構成されてよい。第２の電気信号１２２は、変調された光信号１１４の電気信号表現を含んでよい。然るに、第２の電気信号１２２は、変調された光信号１１４の光電力に基づいてよい。加えて、第２の電気信号１２２は、変調された光信号１１４によって搬送されるデータを搬送してよく、データは、変調された光信号１１４によって搬送されるデータと同じ極性を有してよい。光信号検出回路は、第２の電気信号１２２を熱調整回路１３０へ及びデータ極性検出回路１４０へ供給してよい。幾つかの実施形態では、光信号検出回路１２０は、フォトダイオードを含んでよい。代替的に、又は追加的に、光信号検出回路１２０は、例えば増幅器又は第２の電気信号１２２を適当な状態にする何らかの他の回路若しくは部品等の１以上の他の回路を含んでよい。
【００２８】
熱調整回路１３０は、制御回路１５０及び光信号検出回路１２０へ結合されてよい。熱調整回路１３０は、第２の電気信号１２２を受信するよう構成されてよい。第２の電気信号１２２を用いて、熱調整回路１３０は、変調された光信号１１４の光電力を決定してよい。熱調整回路１３０は、決定された光電力を閾光電力と比較してよい。光電力が閾光電力以下である場合に、熱調整回路１３０は、光変調器１１０の温度を変化させるよう熱を生成し又は熱の生成を調整してよい。そのような及び他の実施形態では、熱調整回路１３０の構成要素又は部分は、光変調器１１０へ熱的に結合されるよう位置付けられてよい。熱調整回路１３０の構成要素又は部分が光変調器１１０へ熱的に結合されるとは、熱調整回路１３０のその構成要素又は部分から発せられる熱が光変調器１１０の温度に直接作用し得るように光変調器１１０に対して熱調整回路１３０のその構成要素又は部分が位置付けられることを示してよい。
【００２９】
幾つかの実施形態では、熱調整回路１３０は、複数の構成要素を含んでよく、デジタル、アナログ、又はデジタル及びアナログであってよい。例えば、幾つかの実施形態では、熱調整回路１３０は、変調された光信号１１４の光電力と閾光電力との比較に基づき電流を生成してよい。電流は抵抗器へ送られてよい。抵抗器は、光変調器１１０の温度を調整することができる熱を生成してよい。光変調器１１０の温度を調整することによって、光変調器１１０の共振波長は調整されてよい。光変調器１１０の共振波長を調整することは、変調された光信号１１４の光電力を調整してよい。このようにして、システム１００Ａ、特に、光変調器１１０、光信号検出回路１２０、及び熱調整回路１３０は、変調された光信号１１４の光電力に対して光変調器１１０の共振波長を調整するようフィードバックループ構成において構成されてよい。
【００３０】
変調された光信号１１４の決定された光電力が閾光電力よりも大きい場合に、熱調整回路１３０は、光変調器１１０の温度を保つよう熱生成のレベルを維持してよい。熱調整回路１３０はまた、変調された光信号１１４の光電力が閾光電力よりも大きいことを制御回路１５０に示してよい。
【００３１】
データ極性検出回路１４０は、制御回路１５０及び光信号検出回路１２０へ結合されてよい。データ極性検出回路１４０は、光信号検出回路１２０から第２の電気信号１２２を受信するよう構成されてよい。データ極性検出回路１４０は更に、変調された光信号１１４によって搬送されるデータの極性が、第３の電気信号１０２によって搬送されるデータの極性に対して変更されているかどうかを決定するよう構成されてよい。例えば、データ極性検出回路１４０は、ビットエラーレート検出回路を含んでよい。そのような及び他の実施形態では、第１の電気信号１０４によって搬送されるデータのビットの列は、データ極性検出回路１４０へ供給されてよい。データ極性検出回路１４０は、第１の電気信号１０４によって搬送されるデータのビットを、第２の電気信号１２２によって搬送されるデータのビットと比較するよう構成されてよい。第１の電気信号１０４と第２の電気信号１２２との比較におけるエラーの数が閾値よりも大きい場合に、データ極性検出回路１４０は、変調された光信号１１４によって搬送されるデータの極性が変化したと決定してよい。データ極性検出回路１４０は、変調された光信号１１４によって搬送されるデータの極性が変化したかどうかを制御回路１５０に示してよい。
【００３２】
データ極性切替回路１６０は、制御回路１５０及び光変調器１１０へ結合されてよい。データ極性切替回路１６０は、第３の電気信号１０２を受信し、第１の電気信号１０４を光変調器１１０へ出力するよう構成されてよい。データ極性切替回路１６０は、第１の電気信号１０４によって搬送されるデータの極性に対して、第３の電気信号１０２によって搬送されるデータの極性を変更するよう構成されてよい。データ極性切替回路１６０は、制御回路１５０からの信号に基づきデータの極性を切り替えてよい。データ極性切替回路１６０がデータの極性を切り替えない場合に、データ極性切替回路１６０は、第３の電気信号１０２を変えることなしに第３の電気信号１０２を通してよい。そのような及び他の実施形態では、第３の電気信号１０２及び第１の電気信号１０４は同じであってよい。
【００３３】
幾つかの実施形態では、データ極性切替回路１６０は、第３の電気信号１０２におけるデータの極性を変更するインバータを含んでよい。代替的に、又は追加的に、第３の電気信号１０２が差動信号である場合に、データ極性切替回路１６０は、差動信号の正及び負の信号を切り替えてよい。例えば、データ極性切替回路１６０は、第３の電気信号１０２によって搬送されるデータの極性を変更するよう、正信号及び負信号のトレースを切り替えてよい。
【００３４】
制御回路１５０は、熱調整回路１３０、データ極性検出回路１４０、及びデータ極性切替回路１６０へ結合されてよい。制御回路１５０は、変調された光信号１１４の光電力が光電力閾値を上回る場合に熱調整回路１３０からのインジケーションを受信するよう構成されてよい。変調された光信号１１４の光電力が光電力閾値を上回った後、制御回路１５０は、データ極性検出回路１４０に、変調された光信号１１４のデータの極性の変化を検出するよう指示してよい。代替的に、又は追加的に、変調された光信号１１４の光電力が光電力閾値を上回った後、制御回路１５０は、データの極性の変化を示すデータ極性検出回路１４０からの信号が有効であると決定してよい。
【００３５】
幾つかの実施形態では、データ極性検出回路１４０からデータ極性変化のインジケーションを受信しない特定の存続期間の後、制御回路１５０は、データの極性が光変調器１１０によって変更されていないと決定してよい。代替的に、又は追加的に、データ極性検出回路１４０は、データ極性変化が起きたこと又は起きていないことを示してよい。そのような及び他の実施形態では、光変調器１１０の較正は完了されてよく、光変調器１１０は、変調された光信号１１４によって光導波路１１６に沿ってデータを送信するのに使用されてよい。
【００３６】
制御回路１５０が、データ極性が変化したとのインジケーションを受け取る場合に、制御回路１５０は、データ極性切替回路１６０に、第３の電気信号１０２のデータの極性を変更するよう指示してよい。結果として、第１の電気信号１０４は、極性が変更されたデータを有してよい。次いで、光変調器１１０は、光信号１１３を、極性が変更されたデータにより変調し、再びデータの極性を変更してよい。結果として、変調された光信号１１４によって搬送されるデータの極性は、第３の電気信号１０２によって搬送されるデータの極性と同じであってよい。
【００３７】
制御回路１５０が、データ極性切替回路１６０に、第３の電気信号１０２のデータの極性を変更するよう指示した後、制御回路１５０は、データの極性が変化するとのデータ極性検出回路１４０からの確認を受け取るのを待ってよい。確認を受け取った後、制御回路１５０は、光変調器１１０の較正が完了され得ると決定してよい。データの極性が変化するとの確認が受け取られない場合、例えば、第１の電気信号１０４と第２の電気信号１２２との比較におけるエラーの数が閾値よりも大きい場合に、制御回路１５０は、データ極性検出回路１４０が第２の電気信号１２２からデータを適切に取り出すことができないと決定してよい。データ極性検出回路１４０は、システム１００Ａにおける信号減衰がデータを喪失させ得るので、第２の電気信号１２２からデータを適切に取り出すことができないことがある。信号減衰を補償するよう、制御回路１５０は、熱調整回路１３０における光電力閾値を調整してよい。そのような及び他の実施形態では、熱調整回路１３０は、次いで、変調された光信号１１４の光電力を増大させるよう光変調器１１０の温度を調整してよい。結果として、第２の電気信号１２２は、データ極性検出回路１４０が第２の電気信号１２２からデータを適切に取り出すことを可能にする程十分に強くなり得る。そのような及び他の実施形態では、制御回路１５０は、システム１００Ａの較正が完了されるまで上述されたように継続してよい。
【００３８】
幾つかの実施形態では、光電力閾値を特定の回数よりも多く増大させた後、制御回路１５０は、システム１００Ａに関連する問題が存在すると示唆してよい。
【００３９】
幾つかの実施形態では、システム１００Ａが較正された後、熱調整回路１３０は、変調された光信号１１４の光電力をモニタし続けてよい。そのような及び他の実施形態では、光電力が閾光電力を下回る場合に、熱調整回路１３０は、光電力の低下を制御回路１５０に示してよく、システム１００Ａは、光変調器１１０を再較正してよい。他の変更、付加、又は省略は、本開示の適用範囲から逸脱することなしにシステム１００Ａに対して為されてよい。
【００４０】
図１Ｂは、本願で記載される少なくとも１つの実施形態に従って配置される、光変調器を較正するシステム１００Ｂの他の例を表す。システム１００Ｂは、光変調器１１０、光信号源１１２、光信号検出回路１２０、熱調整回路１３０、データ極性検出回路１４０、制御回路１５０、データ極性切替回路１６０、及び第２の光信号検出回路１７６を含んでよい。
【００４１】
システム１００Ｂは、データ送信経路１９０及びデータ受信経路１９２を更に含んでよい。データ送信経路１９０は光変調器１１０を含んでよい。そのような及び他の実施形態では、第１の電気信号１０４によって搬送されるデータは、変調された光信号１１４を変調するのに使用されてよい。変調された光信号１１４は、光導波路１１６を通じて送信されてよい。よって、データ送信経路１９０は、光導波路１１６を通じてデータを送信するのに使用されてよい。
【００４２】
データ受信経路１９２は、第２の光導波路１１８、第２の光信号検出回路１７６、及びデータ極性切替回路を含んでよい。第２の変調された光信号１１９は、第２の光導波路１１８を通じて受信されてよい。第２の光導波路１１８は、第２の変調された光信号１１９を第２の光信号検出回路１７６へ供給してよい。
【００４３】
第２の光信号検出回路１７６は、第２の変調された光信号１１９に基づき第４の電気信号１７８を生成するよう構成されてよい。第４の電気信号１７８は、第２の変調された光信号１１９の電気信号表現を含んでよい。幾つかの実施形態では、第２の光信号検出回路１７６はフォトダイオードを含んでよい。代替的に、又は追加的に、第２の光信号検出回路１７６は、例えば増幅器又は第４の電気信号１７８を適当な状態にする何らかの他の回路若しくは部品等の１以上の他の回路を含んでよい。
【００４４】
第４の電気信号１７８は、データ極性切替回路１６０へ供給されてよい。図１Ａに関して記載されたように、データ極性切替回路１６０は、第１の電気信号１０４のデータの極性と、変調された光信号１１４のデータの極性とが同じでないことに基づき、第４の電気信号１７８のデータの極性を切り替えてよい。第１の電気信号１０４のデータの極性と、変調された光信号１１４のデータの極性とが同じでない場合に第４の電気信号１７８の極性を切り替えることによって、システム１００Ｂは、システム１００Ｂへ結合されているデータ供給システムから受け取ったデータと同じ極性を有するデータをデータ供給システムへ供給するよう構成されてよい。例えば、例えばプロセッサ等のデータ供給システムは、第１の電気信号１０４をシステム１００Ｂへ供給してよい。第１の電気信号１０４は第１の極性を持ったデータを含んでよい。データは、それが変調された光信号１１４によって搬送される場合に第２の極性を有してよい。システム１００Ｂによって受信される場合に第２の変調された光信号１１９によって搬送されるデータは、第２の極性を有してよい。データ供給システムによって期待されるように第４の電気信号１７８のデータの極性を第１の電気信号１０４の極性とアライメントするよう、データ極性切替回路１６０は、第４の電気信号１７８をデータ供給システムへ送信する前に、第４の電気信号１７８におけるデータの極性を切り替えてよい。変更、付加、又は省略は、本開示の適用範囲から逸脱することなしにシステム１００Ｂに対して為されてよい。
【００４５】
図１Ｃは、本願で記載される少なくとも１つの実施形態に従って配置される、光変調器を較正するシステム１００Ｃの他の例を表す。システム１００Ｃは、図１Ａで表されているように配置される光変調器１１０、光信号源１１２、光信号検出回路１２０、熱調整回路１３０、データ極性検出回路１４０、制御回路１５０、及びデータ極性切替回路１６０を含んでよい。システム１００Ｃは、信号生成器１７０及びマルチプレクサ１８０を更に含んでよい。
【００４６】
信号生成器１７０は、制御回路１５０及びマルチプレクサ１８０へ結合されてよい。マルチプレクサ１８０は、データ極性切替回路１６０、信号生成器１７０、及び制御回路１５０へ結合されてよい。
【００４７】
信号生成器１７０は、複数の異なるタイプの信号を生成するよう構成されてよい。例えば、信号生成器１７０は、ハイレベルとローレベルとの間で一貫して変動する第１の生成電気信号と、ハイレベルとローレベルとの間でランダムに変動する第２の生成電気信号とを生成してよい。信号生成器１７０は、第１及び第２の生成電気信号のうちのどちらが制御回路１５０によって指示されるように生成されるべきかを決定してよい。
【００４８】
マルチプレクサ１８０は、制御回路１５０によって指示されるように第５の電気信号１７４又は第１及び第２の生成電気信号のいずれかを第３の電気信号１０２としてデータ極性切替回路１６０へ供給するよう構成されてよい。
【００４９】
そのような及び他の実施形態では、制御回路１５０は、変調された光信号１１４の光電力が閾光電力以下である場合に、信号生成器１７０に第１の生成電気信号を生成するよう指示し、且つ、マルチプレクサ１８０に第１の生成電気信号をデータ極性切替回路１６０へ供給するよう指示してよい。そのような及び他の実施形態では、ハイレベルとローレベルとの間で一貫して変動する信号は、ハイレベルとローレベルとの間でランダムに変動する信号と比較して、熱調整回路１３０が、変調された光信号１１４の光電力をより速く決定するのを助けてよい。
【００５０】
変調された光信号１１４の光電力が閾光電力よりも大きくなった後、制御回路１５０は、信号生成器１７０に第２の生成電気信号を生成するよう指示し、且つ、マルチプレクサ１８０に第２の生成電気信号をデータ極性切替回路１６０へ供給するよう指示してよい。そのような及び他の実施形態では、ハイレベルとローレベルとの間でランダムに変動する信号は、ハイレベルとローレベルとの間で一貫して変動する信号と比べて、データ極性検出回路１４０が、変調された光信号１１４によって搬送されるデータの極性が第１の電気信号１０４の極性によって搬送されるデータの極性に対して変化しているかどうかをより速く決定するのを助けてよい。
【００５１】
システム１００Ｃの較正の後、制御回路１５０は、マルチプレクサ１８０に第５の電気信号１７４をデータ極性切替回路１６０へ供給するよう指示してよい。そのような及び他の実施形態では、第５の電気信号１７４は、光導波路１１６を通じた送信のために例えばプロセッサ等の他のシステムからシステム１００Ｃへ供給される信号を含んでよい。変更、付加、又は省略は、本開示の適用範囲から逸脱することなしにシステム１００Ｃに対して為されてよい。
【００５２】
図２は、本願で記載される少なくとも１つの実施形態に従って配置される、光変調器を較正するシステム２００の他の例を表す。システム２００は、光変調器２１０、光信号源２１２、光スイッチ２２０、第１の光信号検出回路２３０、熱調整回路２３４、データ極性検出回路２４０、制御回路２５０、データ極性切替回路２６０、及び第２の光信号検出回路２７０を含んでよい。
【００５３】
光変調器２１０、光信号源２１２、第１の光信号検出回路２３０、熱調整回路２３４、制御回路２５０、及びデータ極性切替回路２６０は、図１Ａのシステム１００Ａ、図１Ｂのシステム１００Ｂ、及び／又は図１Ｃのシステム１００Ｃの光変調器１１０、光信号源１１２、光信号検出回路１２０、熱調整回路１３０、制御回路１５０、及びデータ極性切替回路１６０と同様であってよい。然るに、それらの回路の更なる詳細な記載は、図２に関しては与えられない。
【００５４】
図２に表されているように、光変調器２１０は、光変調器２１０によって受信される第１の電気信号２０４によって搬送されるデータを搬送することができる変調された光信号２１４を出力してよい。変調された光信号２１４は、第１の光導波路２１６を通じて送信されてよい。第１の光導波路２１６は、システム２００のデータ送信経路２９０に含まれてよい。第１の光導波路２１６は、光スイッチ２２０によって、システム２００のデータ受信経路２９２にある第２の光導波路２１８へ光結合されてよい。
【００５５】
光スイッチ２２０は、制御回路２５０によって制御されてよい。光変調器２１０の較正の間、制御回路２５０は、光スイッチ２２０に、閉じて、第１の光導波路２１６及び第２の光導波路１１８を光結合するように指示して、変調された光信号２１４が第１の光導波路２１６から第２の光導波路１１８へ伝わることができるようにしてよい。光スイッチ２２０が開く場合に、光スイッチ２２０は、第１の光導波路２１６及び第２の光導波路１１８を光学的に切り離してよい。
【００５６】
第２の光信号検出回路２７０は、第２の光導波路１１８と光結合されてよく、データ極性検出回路２４０と結合されてよい。第２の光信号検出回路２７０は、変調された光信号２１４に基づき第２の電気信号２７２を生成するよう構成されてよい。第２の電気信号２７２は、変調された光信号２１４の電気信号表現を含んでよい。そのようなものとして、第２の電気信号２７２は、変調された光信号２１４によって搬送されるデータを搬送してよく、データは、変調された光信号２１４によって搬送されるデータと同じ極性を有してよい。
【００５７】
幾つかの実施形態では、第２の光信号検出回路２７０は、フォトダイオードを含んでよい。代替的に、又は追加的に、第２の光信号検出回路２７０は、例えば増幅器又は第２の電気信号２７２を適当な状態にする何らかの他の回路若しくは部品等の１以上の他の回路を含んでよい。第２の光信号検出回路２７０は、第２の電気信号２７２をデータ極性検出回路２４０へ供給してよい。
【００５８】
データ極性検出回路２４０は、データ極性検出回路２４０が第１の光信号検出回路２３０ではなく第２の光信号検出回路２７０から第２の電気信号２７２を受信してよい点を除いて、図１Ａ、１Ｂ、及び１Ｃのデータ極性検出回路１４０と同様であってよい。図２に表されているように、第１の光信号検出回路２３０は、熱調整回路２３４が光変調器２１０の温度を調整する基礎として使用してよい第３の電気信号２３２を生成するよう構成されてよい。
【００５９】
如何にしてシステム２００が光変調器２１０を較正するのに使用され得るかの例は、次のとおりである。光スイッチ２２０は、変調された光信号２１４の光電力が光電力閾値を上回るまで第３の電気信号２３２に基づき熱調整回路２３４が光変調器２１０の温度を調整する間、開いていてよい。変調された光信号２１４の光電力が光電力閾値を上回る場合に、制御回路２５０は、光スイッチ２２０に、閉じるように指示してよい。変調された光信号２１４は、第２の光導波路１１８へ進んでよい。第２の光信号検出回路２７０は、変調された光信号２１４に基づき第２の電気信号２７２を生成してよい。データ極性検出回路２４０は、変調された光信号２１４のデータの極性が、データ極性切替回路２６０によって受信される第４の電気信号２０２によって搬送されるデータの極性に対して変化しているかどうかを決定してよい。
【００６０】
変調された光信号２１４のデータの極性が変化していない場合は、制御回路２５０は光スイッチ２２０を開いてよく、光変調器２１０の較正は完了されてよい。変調された光信号２１４のデータの極性が変化している場合は、制御回路２５０は、データ極性切替回路２６０に、光変調器２１０によって受信される第１の電気信号２０４の極性が変更されるように、受信した第４の電気信号２０２のデータの極性を変更するよう指示してよい。
【００６１】
データ極性検出回路２４０が、システム２００における信号減衰のために、第２の電気信号２７２からデータを適切に取り出すことができない場合に、熱調整回路２３４における光電力閾値は調整されてよく、システム２００は較正を継続してよい。
【００６２】
光変調器２１０の較正の後、制御回路２５０は、光スイッチ２２０に、開くように指示してよい。光スイッチ２２０が開いた後、システム２００は、データ送信経路２９０に沿ってデータを送信し且つデータ受信経路２９２に沿ってデータを受信するために使用されてよい。
【００６３】
変更、付加、又は省略は、本開示の適用範囲から逸脱することなしにシステム２００に対して為されてよい。例えば、幾つかの実施形態では、データ極性切替回路２６０は、データ送信経路２９０ではなくデータ受信経路２９２において設置されてよい。代替的に、又は追加的に、システム２００は、図１Ｃの信号生成器１７０及びマルチプレクサ１８０と同様の信号生成器及びマルチプレクサを含んでよい。
【００６４】
図３は、本願で記載される少なくとも１つの実施形態に従って配置される、光変調器を較正するシステム３００の他の例を表す。システム３００は、光変調器３１０、光信号源３１２、第１の光導波路３１６、光スイッチ３２０、第１の光信号検出回路３３０、熱調整回路３３４、データ極性検出回路３４０、制御回路３５０、データ極性切替回路３６０、信号生成器３７０、第１のマルチプレクサ３８０、第２の光信号検出回路３７６、第２のマルチプレクサ３７９を含んでよい。
【００６５】
光変調器３１０、光信号源３１２、第１の光信号検出回路３３０、熱調整回路３３４、データ極性検出回路３４０、制御回路３５０、及びデータ極性切替回路３６０は、図１Ａのシステム１００Ａ、図１Ｂのシステム１００Ｂ、図１Ｃのシステム１００Ｃ、及び／又は図２のシステム２００の光変調器１１０及び２１０、光信号源１１２及び２１２、光信号検出回路１２０及び２３０、熱調整回路１３０及び２３４、制御回路１５０及び２５０、並びにデータ極性切替回路１６０及び２６０と同様であってよい。光スイッチ３２０は、図２の光スイッチ２２０と同様であってよい。第２の光信号検出回路３７６は、図１Ｂ及び２の第２の光信号検出回路１７６及び２７０と同様であってよい。信号生成器３７０及び第１のマルチプレクサ３８０は、図１Ｃの信号生成器１７０及びマルチプレクサ１８０と同様であってよい。然るに、それらの回路及び／又は構成要素の更なる詳細な記載は、図３に関しては与えられない。
【００６６】
図３に表されているように、光変調器３１０は、光変調器３１０によって受信される第１の電気信号３０４によって搬送されるデータを搬送することができる変調された光信号３１４を出力してよい。変調された光信号３１４は、第１の光導波路３１６を通じて送信されてよい。第１の光導波路３１６は、システム３００のデータ送信経路３９０にあってよい。第１の光導波路３１６は、光スイッチ３２０によって、システム３００のデータ受信経路３９２にある第２の光導波路３１８へ光結合されてよい。
【００６７】
第１の光信号検出回路３３０も光変調器３１０へ光結合されてよい。第１の光信号検出回路３３０は、変調された光信号３１４に基づき第２の電気信号３３２を生成するよう構成されてよい。第２の電気信号３３２は、変調された光信号３１４の電気信号表現を含んでよく、熱調整回路３３４へ及び第２のマルチプレクサ３７９へ供給されてよい。熱調整回路３３４は、第２の電気信号３３２に基づき光変調器３１０の温度を調整してよい。
【００６８】
第２の光信号検出回路３７６は、第２の光導波路３１８と光結合されてよく、第２のマルチプレクサ３７９と結合されてよい。第２の光信号検出回路３７６は、変調された光信号３１４に基づき第３の電気信号３７８を生成し、第３の電気信号３７８を第２のマルチプレクサ３７９へ供給するよう構成されてよい。第３の電気信号３７８は、変調された光信号３１４の電気信号表現を含んでよい。そのようなものとして、第３の電気信号３７８は、変調された光信号３１４によって搬送されるデータを搬送してよく、変調された光信号３１４によって搬送されるデータと同じ極性を有してよい。
【００６９】
第２のマルチプレクサ３７９は、第１の光信号検出回路３３０、第２の光信号検出回路３７６、制御回路３５０、及びデータ極性検出回路３４０へ結合されてよい。制御回路３５０から受信される選択信号に基づき、第２のマルチプレクサ３７９は、データ極性検出回路３４０へ供給するために第２の電気信号３３２又は第３の電気信号３７８のいずれかを選択するよう構成されてよい。
【００７０】
データ極性検出回路３４０は、データ極性検出回路３４０が、第１の光信号検出回路３３０又は第２の光信号検出回路３７６からではなく、第２のマルチプレクサ３７９からの第２の電気信号３３２又は第３の電気信号３７８のうちの選択された一方を受信してよい点を除いて、図１Ａ，１Ｂ及び１Ｃ並びに図２のデータ極性検出回路１４０及び２４０と同様であってよい。
【００７１】
如何にしてシステム３００が光変調器３１０を較正するのに使用され得るのかの例は、次のとおりである。信号生成器３７０は、ハイレベルとローレベルとの間で一貫して変動する第１の生成電気信号を生成してよい。第１の生成電気信号は、第１のマルチプレクサ３８０によって、データ極性切替回路３６０を経由して光変調器３１０へ供給されてよい。そのような及び他の実施形態では、データ極性切替回路３６０によって受信される第４の電気信号３０２と、第１の電気信号３０４とは、第１の生成電気信号を含んでよい。光変調器３１０は、第１の生成電気信号に基づき、変調された光信号３１４を生成してよい。
【００７２】
第１の光信号検出回路３３０は、変調された光信号３１４に基づき第２の電気信号３３２を生成してよい。光スイッチ３２０は、変調された光信号３１４の光電力が光電力閾値を上回るまで第２の電気信号３３２に基づき熱調整回路３３４が光変調器３１０の温度を調整する間、開いていてよい。変調された光信号３１４の光電力が光電力閾値を上回った後、制御回路３５０は、信号生成器３７０に、ハイレベルとローレベルとの間でランダムに変動する第２の生成電気信号を生成するよう指示してよい。第２の生成電気信号は、第１のマルチプレクサ３８０によって、データ極性切替回路３６０を経由して光変調器３１０へ供給されてよい。そのような及び他の実施形態では、第１の電気信号３０４及び第４の電気信号３０２は、第２の生成電気信号を含んでよい。光変調器３１０は、第２の生成電気信号に基づき、変調された光信号３１４を生成してよい。
【００７３】
変調された光信号３１４が第２の生成電気信号に基づき生成された後、制御回路３５０はまた、光スイッチ３２０に、閉じるように指示してよい。変調された光信号３１４は第２の光導波路１１８へ進んでよい。第２の光信号検出回路３７６は、変調された光信号３１４に基づき第３の電気信号３７８を生成してよい。
【００７４】
第２のマルチプレクサ３７９は、第２の電気信号３３２及び第３の電気信号３７８を受信してよい。制御回路３５０からの選択信号に基づき、第２のマルチプレクサ３７９は、第２の電気信号３３２及び第３の電気信号３７８のうちの一方を選択してよく、第２の電気信号３３２及び第３の電気信号３７８のうちの選択された一方をデータ極性検出回路３４０へ供給してよい。
【００７５】
データ極性検出回路３４０は、変調された光信号３１４のデータの極性が、データ極性切替回路３６０によって受信される第４の電気信号３０２によって搬送されるデータの極性に対して変化しているかどうかを決定してよい。
【００７６】
変調された光信号３１４のデータの極性が変化していない場合は、制御回路３５０は、光スイッチ３２０を開き、第２のマルチプレクサ３７９に、第２の光信号検出回路３７６からの第３の電気信号３７８を選択するよう指示してよい。光変調器３１０の較正は、次いで完了されてよい。変調された光信号３１４のデータの極性が変化している場合は、制御回路３５０は、データ極性切替回路３６０に、光変調器３１０によって受信される第１の電気信号３０４の極性が変更されるように、受信した第４の電気信号３０２の極性を変更するよう指示してよい。
【００７７】
データ極性検出回路３４０が、システム３００における信号減衰のために、第２の電気信号３３２及び第３の電気信号３７８のうちの選択された一方から適切にデータを取り出すことができない場合に、熱調整回路３３４における光電力閾値は調整されてよい。幾つかの実施形態では、制御回路３５０は、第２のマルチプレクサ３７９に、第２の電気信号３３２及び第３の電気信号３７８のうちの他方を選択してデータ極性検出回路３４０へ供給するよう指示してよい。システム３００の較正は、次いで継続してよい。
【００７８】
変更、付加、又は省略は、本開示の適用範囲から逸脱することなしにシステム３００に対して為されてよい。例えば、幾つかの実施形態では、データ極性切替回路３６０は、データ送信経路３９０ではなくデータ受信経路３９２において設置されてよい。代替的に、又は追加的に、システム３００は、光スイッチ３２０を含まなくてよい。そのような及び他の実施形態では、第２の電気信号３３２は、第２のマルチプレクサ３７９を経由してデータ受信経路３９２に沿ってデータ極性検出回路３４０へ供給されてよい。
【００７９】
図４は、本願で記載される少なくとも１つの実施形態に従って配置される、光変調器の補正の方法４００の例のフローチャートである。方法４００は、幾つかの実施形態では、例えば図１Ａのシステム１００Ａ、図１Ｂのシステム１００Ｂ、図１Ｃのシステム１００Ｃ、図２のシステム２００、及び／又は図３のシステム３００等の、光変調器を較正するシステムによって実施されてよい。たとえ別個のブロックとして表されているとしても、様々なブロックは、所望の実施に依存して、更なるブロックに分けられても、より少ないブロックへとまとめられても、又は削除されてもよい。
【００８０】
方法４００はブロック４０２から開始してよく、ブロック４０２で、変調された光信号は、第１の電気信号に基づき光変調器によって生成されてよい。幾つかの実施形態では、第１の電気信号は、ハイレベルとローレベルとの間で一貫して変動する信号を含んでよい。
【００８１】
ブロック４０４で、変調された光信号の光電力はモニタされてよい。変調された光信号の光電力は、変調された光信号を電気信号に変換して、変調された光信号の光電力に対応する電気信号の特性をモニタすることで、モニタされてよい。
【００８２】
ブロック４０６で、変調された光信号の光電力が閾光電力よりも大きい場合が決定されてよい。変調された光信号の光電力が閾光電力よりも大きい場合、方法４００はブロック４１０へ進んでよい。変調された光信号の光電力が閾光電力よりも大きくない場合、方法４００はブロック４０８へ進んでよい。
【００８３】
ブロック４０８で、光変調器の温度は調整されてよい。光変調器の温度を調整することは、光変調器の共振波長を調整してよい。光変調器の共振波長を調整することは、変調された光信号の光電力が調整されることを引き起こしてよい。方法４００はブロック４０４へ進んでよい。
【００８４】
ブロック４１０で、変調された光信号は、第２の電気信号に基づき光変調器によって生成されてよい。幾つかの実施形態では、第２の電気信号は、ハイレベルとローレベルとの間でランダムに変動する信号を含んでよい。
【００８５】
ブロック４１２で、変調された光信号のデータ極性が第２の電気信号のデータ極性と同じであるかどうかが決定されてよい。変調された光信号のデータ極性が第２の電気信号のデータ極性と同じである場合、方法４００はブロック４１４へ進んでよい。変調された光信号のデータ極性が第２の電気信号のデータ極性と同じでない場合、方法４００はブロック４１６へ進んでよい。
【００８６】
ブロック４１４で、光変調器の通常動作が開始してよい。幾つかの実施形態では、通常動作の間、送信のためのデータ信号を用いて生成される変調された光信号の光電力がモニタされてよい。そのような及び他の実施形態では、方法４００はブロック４０４へ進んでよい。
【００８７】
ブロック４１６で、データ極性調整回路の状態は、データ極性調整回路によって受信される電気信号によって搬送されるデータの極性を変更するよう調整されてよい。幾つかの実施形態では、光変調器へ供給される電気信号のデータ極性は、データ極性調整回路によって調整されてよい。代替的に、又は追加的に、光変調器へ供給される電気信号によって搬送されるデータの極性は、光変調器とは異なる送信経路にある電気信号であってよい。
【００８８】
ブロック４１８で、データ極性調整回路の状態が初めて調整されているかどうかが決定されてよい。データ極性調整回路の状態が初めて調整されていない場合、方法４００はブロック４２０へ進んでよい。データ極性調整回路の状態が初めて調整されている場合、方法４００はブロック４１２へ進んでよい。
【００８９】
ブロック４２０で、光電力閾値は調整されてよい。特に、光電力閾値は増大されてよい。幾つかの実施形態で、光電力閾値を増大させることは、変調された光信号の信号対雑音比の増大をもたらし得る。方法４００はブロック４０４へ進んでよい。
【００９０】
当業者に明らかなように、本願で開示されているこの及び他のプロセス及び方法に関して、プロセス及び方法において実行される機能は、異なる順序で実施されてよい。加えて、説明されているステップ及び動作は、単に例として与えられており、ステップ及び動作の幾つかは、開示されている実施形態の本質を損なうことなしに、任意であっても、より少ないステップ及び動作へとまとめられても、又は更なるステップ及び動作に拡張されてもよい。
【００９１】
図５は、本願で記載される少なくとも１つの実施形態に従って配置される、光変調器の較正の方法５００の他の例のフローチャートである。方法５００は、幾つかの実施形態では、例えば図１Ａのシステム１００Ａ、図１Ｂのシステム１００Ｂ、図１Ｃのシステム１００Ｃ、図２のシステム２００、及び／又は図３のシステム３００等の、光変調器を較正するシステムによって実施されてよい。たとえ別個のブロックとして表されているとしても、様々なブロックは、所望の実施に依存して、更なるブロックに分割されても、より少ないブロックにまとめられても、又は削除されてもよい。
【００９２】
方法５００はブロック５０２から開始してよい。ブロック５０２で、受信された光信号は、光変調器によって、変調された光信号を生成するよう第１の電気信号により変調されてよい。変調された光信号によって搬送されるデータの極性及び変調された光信号の電力は、光変調器の温度に基づいてよい。
【００９３】
ブロック５０４で、変調された光信号の光電力はモニタされてよい。ブロック５０６で、変調された光信号の光電力が電力閾値以下であることに応答して、光変調器の温度は調整されてよい。
【００９４】
ブロック５０８で、変調された光信号の光電力が光電力閾値を上回ることに応答して、変調された光信号によって搬送されるデータの極性は確認されてよい。
【００９５】
当業者に明らかなように、本願で開示されているこの及び他のプロセス及び方法に関して、プロセス及び方法において実行される機能は、異なる順序で実施されてよい。加えて、説明されているステップ及び動作は、単に例として与えられており、ステップ及び動作の幾つかは、開示されている実施形態の本質を損なうことなしに、任意であっても、より少ないステップ及び動作へとまとめられても、又は更なるステップ及び動作に拡張されてもよい。
【００９６】
例えば、方法５００は、変調された光信号の光電力が光電力閾値を上回ることに応答して、第２の変調された光信号を生成するよう、受信された光信号を第２の電気信号により変調するステップを更に含んでよい。そのような及び他の実施形態では、第２の変調された光信号によって搬送されるデータの極性は確認されてよい。そのような及び他の実施形態では、第１の電気信号は、ハイレベルとローレベルとの間で一貫して変動してよく、第２の電気信号は、ハイレベルとローレベルとの間でランダムに変動してよい。
【００９７】
幾つかの実施形態では、方法５００は、変調された光信号に基づき第２の電気信号を生成するステップを更に含んでよい。そのような及び他の実施形態では、変調された光信号の光電力は、第２の電気信号の電力をモニタすることでモニタされてよく、変調された光信号によって搬送されるデータの極性は、第２の電気信号によって搬送されるデータの極性を確認することで確認されてよい。
【００９８】
幾つかの実施形態では、方法５００は、第１の信号検出回路を用いて、変調された光信号に基づき第２の電気信号を生成するステップを更に含んでよい。そのような及び他の実施形態では、変調された光信号の光電力は、第２の電気信号の電力をモニタすることでモニタされてよい。方法５００は、第２の信号検出回路を用いて、変調された光信号に基づき第３の電気信号を生成するステップを更に含んでよい。そのような及び他の実施形態では、変調された光信号によって搬送されるデータの極性は、第３の電気信号によって搬送されるデータの極性を確認することで確認されてよい。
【００９９】
幾つかの実施形態では、方法５００は、変調された光信号によって搬送されるデータが第１の電気信号によって搬送されるデータの極性と異なることに応答して、データ極性調整回路によって受信される電気信号のデータの極性を変えるようデータ極性調整回路の状態を調整するステップを更に含んでよい。そのような及び他の実施形態では、受信された光信号は、システムのデータ送信経路において変調されてよく、データ極性調整回路は、システムのデータ受信経路において含まれてよい。
【０１００】
そのような及び他の実施形態では、方法５００は、変調された光信号によって搬送されるデータの極性が第１の電気信号によって搬送されるデータの極性と異なることに応答して、データ極性調整回路を用いて第１の電気信号のデータの極性を変えるステップを更に含んでよい。そのような及び他の実施形態では、方法５００は、変調された光信号の光電力をモニタし続けるステップと、変調された光信号の光電力が光電力閾値以下であることに応答して、光変調器の温度を再調整するステップとを更に含んでよい。代替的に、又は追加的に、方法５００は、変調された光信号によって搬送されるデータの極性を再確認するステップと、変調された光信号によって搬送されるデータの極性が第１の電気信号によって搬送されるデータの極性と異なることに応答して、光電力閾値を増大させ、方法５００のそれまでの動作を実行するステップとを更に含んでよい。例えば、実行され得るそれまでの動作は、変調された光信号の光電力をモニタするステップと、変調された光信号の光電力が電力閾値以下であることに応答して、光変調器の温度を調整するステップとを含んでよい。それまでの動作は、変調された光信号の光電力が光電力閾値を上回ることに応答して、変調された光信号によって搬送されるデータの極性を確認するステップを更に含んでよい。
【０１０１】
対象は、構造上の特徴及び／又は方法上の動作に特有の言語において記載されてきたが、添付の特許請求の範囲において定義される対象は、必ずしも、前述の具体的な特徴又は動作に制限されない点が理解されるべきである。むしろ、前述の具体的な特徴又は動作は、特許請求の範囲を実施する形態の例として開示されている。
【０１０２】
ここで挙げられている全ての例及び条件付き言語は、当該技術を進めることにおいて発明者によって寄与される概念及び発明を読者が理解するのを助ける教育的な目的として意図され、そのような具体的に挙げられている例及び条件に制限されないと解釈されるべきである。本発明の実施形態が詳細に記載されてきたが、様々な変更、置換、及び代替が本発明の主旨及び適用範囲から逸脱するこしにそれらに対して為され得る点が理解されるべきである。
【０１０３】
前述の実施形態に加えて、以下の付記を記載する。
（付記１）
光変調器を較正するシステムであって、
変調された光信号を第１の電気信号に基づき出力するよう構成される光変調器であって、前記変調された光信号によって搬送されるデータの光電力及び極性が当該光変調器の温度に依存する、光変調器と、
前記光変調器へ光結合され、前記変調された光信号の光電力に基づき第２の電気信号を生成するよう構成される光信号検出回路と、
前記光信号検出回路へ結合され、前記第２の電気信号の電力が特定の電力閾値よりも低いことに応答して前記光変調器の温度を調整するよう構成される熱調整回路と、
前記変調された光信号によって搬送されるデータの極性を検出するよう構成されるデータ極性検出回路と、
前記変調された光信号によって搬送されるデータの検出された極性が前記第１の電気信号によって搬送されるデータの極性と反対であることに応答して、システムにおける第３の電気信号によって搬送されるデータの極性を切り替えるよう構成されるデータ極性切替回路と
を有するシステム。
（付記２）
前記光信号検出回路を含むデータ送信経路と、前記データ極性検出回路を含むデータ受信経路とを含む
付記１に記載のシステム。
（付記３）
前記データ極性切替回路は、該データ極性切替回路の出力が前記光変調器へ供給される前記第１の電気信号を含むように前記データ送信経路において含まれる、
付記２に記載のシステム。
（付記４）
前記データ極性切替回路は、該データ極性切替回路の出力が前記光信号検出回路へ供給されるように前記データ受信経路において含まれる、
付記２に記載のシステム。
（付記５）
前記光信号検出回路は、第１の光信号検出回路であり、
当該システムは、
前記光変調器へ光結合され、前記変調された光信号を受信するよう構成される第１の導波路と、
第２の導波路と、
前記データ受信経路に含まれ、前記第２の導波路へ光結合される第２の光信号検出回路と、
前記第１の導波路及び前記第２の導波路へ光結合されるよう構成される光スイッチと
を更に有し、
前記光スイッチが前記第１の導波路及び前記第２の導波路へ光結合することに応答して、前記第２の光信号検出回路は、前記変調された光信号に基づき第４の電気信号を生成し、前記データ極性検出回路は、前記第４の電気信号に基づき前記変調された光信号によって搬送されるデータの極性を検出する、
付記２に記載のシステム。
（付記６）
前記データ極性切替回路は、前記第３の電気信号が前記第２の光信号検出回路によって生成される前記第４の電気信号を含むように前記データ受信経路において含まれる、
付記５に記載のシステム。
（付記７）
前記光スイッチが前記第１の導波路及び前記第２の導波路へ光結合することに応答して、前記第２の光信号検出回路は、他のシステムから送信された光信号を受信し、該送信された光信号に基づき前記第４の電気信号を生成する、
付記５に記載のシステム。
（付記８）
前記データ極性検出回路は、前記光信号検出回路によって生成される前記第２の電気信号に基づき、前記変調された光信号によって搬送されるデータの極性を検出するよう構成される、
付記１に記載のシステム。
（付記９）
前記第２の電気信号は、前記第１の電気信号がハイレベルとローレベルとの間で一貫して変動している場合に生成される、
付記１に記載のシステム。
（付記１０）
前記データ極性検出回路は、前記第１の電気信号がハイレベルとローレベルとの間でランダムに変動している場合に、前記変調された光信号によって搬送されるデータの極性を検出するよう構成される、
付記１に記載のシステム。
（付記１１）
光変調器の較正の方法であって、
光変調器によって、受信された光信号を第１の電気信号により変調して、変調された光信号を生成するステップであって、前記変調された光信号によって搬送されるデータの極性及び前記変調された光信号の光電力が前記光変調器の温度に基づく、ステップと、
前記変調された光信号の光電力をモニタするステップと、
前記変調された光信号の光電力が光電力閾値以下であることに応答して、前記光変調器の温度を調整するステップと、
前記変調された光信号の光電力が前記光電力閾値を上回ることに応答して、前記変調された光信号によって搬送されるデータの極性を確認するステップと
を有する方法。
（付記１２）
前記変調された光信号によって搬送されるデータの極性が前記第１の電気信号によって搬送されるデータの極性と異なることに応答して、データ極性調整回路の状態を調整して、該データ極性調整回路によって受信される電気信号によって搬送されるデータの極性を変化させるステップを更に有する
付記１１に記載の方法。
（付記１３）
前記受信された光信号は、システムのデータ送信経路において含まれ、該システムのデータ受信経路は、前記データ極性調整回路を含む、
付記１２に記載の方法。
（付記１４）
前記変調された光信号によって搬送されるデータの極性が前記第１の電気信号によって搬送されるデータの極性と異なることに応答して、前記データ極性調整回路により前記第１の電気信号のデータ極性を変更するステップを更に有する
付記１２に記載の方法。
（付記１５）
前記変調された光信号の光電力をモニタし続けるステップと、
前記変調された光信号の光電力が前記光電力閾値以下であることに応答して、前記光変調器の温度を再調整するステップと
を更に有する付記１２に記載の方法。
（付記１６）
前記変調された光信号によって搬送されるデータの極性を再確認するステップと、
前記変調された光信号によって搬送されるデータの極性が前記第１の電気信号によって搬送されるデータの極性と異なることに応答して、
前記光電力閾値を増大させ、
前記変調された光信号の光電力をモニタする動作と、前記変調された光信号の光電力が前記光電力閾値以下であることに応答して、前記光変調器の温度を調整する動作と、前記変調された光信号の光電力が前記光電力閾値を上回ることに応答して、前記変調された光信号によって搬送されるデータの極性を確認する動作とを実行する
ステップと
を更に有する付記１２に記載の方法。
（付記１７）
前記変調された光信号の光電力が前記光電力閾値を上回ることに応答して、前記受信された光信号を第２の電気信号により変調して、第２の変調された光信号を生成するステップを更に有し、
前記第２の変調された光信号によって搬送されるデータの極性が確認される、
付記１１に記載の方法。
（付記１８）
前記第１の電気信号は、ハイレベルとローレベルとの間で一貫して変動し、前記第２の電気信号は、ハイレベルとローレベルとの間でランダムに変動する、
付記１７に記載の方法。
（付記１９）
前記変調された光信号に基づき第２の電気信号を生成するステップを更に有し、
前記変調された光信号の光電力は、前記第２の電気信号の電力をモニタすることによってモニタされ、前記変調された光信号によって搬送されるデータの極性は、前記第２の電気信号によって搬送されるデータの極性を確認することによってモニタされる、
付記１１に記載の方法。
（付記２０）
第１の信号検出回路により前記変調された光信号に基づき第２の電気信号を生成するステップであって、前記変調された光信号の光電力が前記第２の電気信号の電力をモニタすることによってモニタされる、ステップと、
第２の信号検出回路により前記変調された光信号に基づき第３の電気信号を生成するステップであって、前記変調された光信号によって搬送されるデータの極性が前記第３の電気信号によって搬送されるデータの極性を確認することによってモニタされる、ステップと
を更に有する付記１１に記載の方法。
【符号の説明】
【０１０４】
１００Ａ〜Ｃ，２００，３００  システム
１０２，２３２，３７８        第３の電気信号
１０４，２０４，３０４        第１の電気信号
１１０，２１０，３１０        光変調器
１１２，２１２，３１２        光信号源
１１３                        光信号
１１４，２１４，３１４        変調された光信号
１１６，２１６，３１６        光導波路
１１８，２１８，３１８        第２の光導波路
１１９                        第２の変調された光信号
１２０，２３０，３３０        光信号検出回路
１２２，２７２，３３２        第２の電気信号
１３０，２３４，３３４        熱調整回路
１４０，２４０，３４０        データ極性検出回路
１５０，２５０，３５０        制御回路
１６０，２６０，３６０        データ極性切替回路
１７０，３７０                信号生成器
１７４                        第５の電気信号
１７６，２７０，３７６        第２の光信号検出回路
１７８，２０２、３０２        第４の電気信号
１８０，３８０                マルチプレクサ
１９０，２９０，３９０        データ送信経路
１９２，２９２，３９２        データ受信経路
２２０，３２０                光スイッチ
３７９                        第２のマルチプレクサ
【図１Ａ】
2015222944.tif 000003
【図１Ｂ】
2015222944.tif 000004
【図１Ｃ】
2015222944.tif 000005
【図１Ｄ】
2015222944.tif 000006
【図２】
2015222944.tif 000007
【図３】
2015222944.tif 000008
【図４】
2015222944.tif 000009
【図５】
2015222944.tif 000010